(57)【要約】【課題】打診具のロッド３が折れてもヘッド５が脱落しない打診具の提供。【解決手段】本発明の打診具１は、中空のロッド３と、このロッド３の一端に取り付けられた球状のヘッド５と、このロッド３の他端に位置するグリップ７と、ロッド３の中を通され、ヘッド５とグリップ７とを連結する紐９とを備えている。上記ロッド３が入れ子式の伸縮可能なパイプＰからなり、上記紐９が引き出され自動巻き取りできるリール１３に連結されていることが好ましい。また、この打診具１は、上記紐９が引き出される最大の長さが上記ロッド３の伸縮可能な長さ以上であることがより好ましい。さらに、グリップ７は、ロッド３とは異なるグリップカバー１７で被覆されていることがより好ましい。この打診具１は、ロッド３が衝撃等により折れてもヘッド５が脱落しない。【選択図】  図１
2005010106.tif 000002
【特許請求の範囲】
【請求項１】
中空のロッドと、
このロッドの一端に取り付けられた球状のヘッドと、
このロッドの他端に位置するグリップと、
ロッドの中を通されヘッドとグリップとを連結する紐と
を備えた打診具。
【請求項２】
上記ロッドが入れ子式の複数段のパイプからなり、上記グリップが紐が連結されたリールを備えており、このリールが紐を自動巻き取りしうるように構成されている請求項１に記載の打診具。
【請求項３】
上記紐が引き出され得る最大長さが上記ロッドの最大伸張長さ以上である請求項２に記載の打診具。
【請求項４】
上記グリップがロッドと異なる材料からなるグリップカバーを備えている請求項１から３のいずれかに記載の打診具。
【発明の詳細な説明】
【０００１】
【発明の属する技術分野】
本発明は、建築物の仕上げ面の浮き等を検知するために使用される打診具に関するものである。
【０００２】
【従来の技術】
構造物の表面に施工された仕上げ層であるタイルやモルタル等は経年変化により浮きが発生することがある。これを放置すると壁面から剥離落下する恐れがあり、危険である。そのため、壁面等の仕上げ層は、剥離の有無が定期的に検査されることになっている。
【０００３】
近年このような検査に自動検査装置が開発されている。しかし、これらの装置は、大がかりである割には、検査の信頼性、能率及び検査費用の面で満足できるに到っていない。
【０００４】
人手による打診具は、建物の仕上げ層の剥離の有無を調べるためによく利用されている。この打診具による方法では、面倒な準備もなく直ぐに取りかかることができる。この方法は、自動検査装置よりも検査効率が優れる面を備えている。
【０００５】
打診具は、検査の能率の面からある程度の長さを備え、比較的軽量であることが求められる。このため、ロッドには、軽量なパイプが使用されている。打診具による検査は、ヘッドを検査対象面上に接触させて手で左右に走らせながら接触音の変化を捉えることからなる。ときには、ヘッドで検査面がタッピングされる。
【０００６】
【発明が解決しようとする課題】
通常使用しているときには打診具に大きな力はかからず、打診具が破損することはない。しかし、実際の使用においては、検査中の壁面にたまたまあった突起物や手すり等に当たってロッドが折れることがある。ロッドが折れるとヘッドが脱落してしまう。
【０００７】
本発明は、このような実情に鑑みてなされたものであり、ロッドが折れた場合でもヘッドが脱落しない打診具の提供を目的とするものである。
【０００８】
【課題を解決するための手段】
本発明に係る打診具は、中空のロッドと、このロッドの一端に取り付けられた球状のヘッドと、このロッドの他端に位置するグリップと、ロッドの中を通され、ヘッドとグリップとを連結する紐とを備えている。この打診具は、ロッドが折れてもヘッドが脱落することがない。
【０００９】
この打診具は、上記ロッドが入れ子式の複数段のパイプからなり、上記グリップが紐が連結されたリールを備えており、このリールが紐を自動巻き取りしうるように構成されていることが好ましい。この打診具は、携帯に便利である。打診具のロッドが衝撃等により折れたときでもヘッドが脱落しない。
【００１０】
さらに、この打診具は、上記紐が引き出され得る最大長さが上記ロッドの最大伸張長さ以上であることがより好ましい。この打診具は、使用場所に応じて長さを調節できる。また、この打診具はロッドが折れてもヘッドが脱落しない。
【００１１】
さらには、この打診具は上記グリップにロッドと異なる材料からなるグリップカバーを備えていることがより好ましい。この打診具は作業性に優れている。
【発明の実施の形態】
以下、適宜図面が参照されつつ、好ましい実施形態に基づいて本発明が詳細に説明される。
【００１２】
図１は、本発明の一実施形態にかかる打診具１が示された断面図である。この打診具１は、中空のロッド３と、このロッド３の一端に取り付けられた球状のヘッド５と、このロッド３の他端に位置するグリップ７とを備えている。さらに、打診具１は、ロッド３の中を通され、ヘッド５とグリップ７とを連結する紐９を備えている。
【００１３】
このロッド３の材質は、ステンレス、繊維強化樹脂等、既知の入れ子式パイプと同等である。図１に示されている打診具１のロッド３は、ステンレス製で入れ子式パイプＰの４段（Ｐ１、Ｐ２、Ｐ３及びＰ４）からなる。このパイプＰの各段は、先側が細く後側に向けて除々に拡径しており、これによってパイプＰ同士の分離が防止されている。
【００１４】
入れ子式パイプＰが用いられることによりロッド３の長さが伸縮できるため、携帯及び保管に便利である。また検査のため使用するときにはパイプＰの引き出し長さを適当な長さに調節できる。しかし、用途、価格等が考慮され、ロッド３は単一のパイプＰからなるものでもよい。ロッド３を伸ばしたときの全長は、主に使用する場所及び検査対象により作業性を勘案して定められる。この全長は、通常１０ｃｍ以上３ｍ以下である。
【００１５】
ヘッド５の底部にパイプＰ１の先端に対応させて円筒形の開口孔Ｈが設けられている。このパイプＰ１の先端は、この開口孔Ｈに填め込まれている。この先端は、この開口孔Ｈ内でかしめ、接着され又は孔の外周縁で溶接されることによりヘッド５と強固に一体化される。こうしてロッド３の先側のパイプＰ１の先端には、上記球状のヘッド５が固定されている。ヘッド５は、ステンレス等既知の打診具のヘッドと同等であってよい。
【００１６】
上記ヘッド５の開口孔Ｈを通して紐９の一端がヘッド５に連結されている。紐９は、この開口孔Ｈの先に設けられた細孔Ｋをさらに通されてヘッドの先端Ｔで固定される。この固定は、紐９の先端が金属片Ｍに固着され、この金属片Ｍが上記ヘッド先端Ｔに接合されてなる。
【００１７】
ヘッド５が取り付けられているロッド３の反対側にグリップ７が位置している。このグリップ７は、上記ロッド３の径の大きい部分である。グリップ７は、通常打診作業をする場合に作業者によってロッド３が掴まれる部分を含みヘッド５とは反対方向の端部を指す。グリップ７は、ロッド３から特に構造的な区別は必要とされない。
【００１８】
特にロッド３が金属材料からなる場合は、滑りにくく、握りやすいように、樹脂、ゴム又は織布、不織布等からなるグリップカバー１１が用いられることが好ましい。グリップカバー１１によりロッド３が金属材料の場合は冬季の冷たさ等を緩和できる。また、握る部分の太さを調節することができる。この被覆によって、持ちやすい太さに調節され、滑りにくくなり又熱伝導が緩和される。このグリップカバー１１は、一体成形しやすいという面から合成樹脂製であることが好ましい。
【００１９】
このグリップ７は、リール１３を備えている。このリール１３は、ケース１５と板バネ１７とスプール１９とを備えている。このケース１５と上記グリップカバー１１とは一体に成形されている。このケース１５とグリップカバー１１とは別々に準備されたものが接合されてもよい。リール１３は、グリップ７を握る邪魔にならなければ大きさ種類等、特に限定されない。リール１３は、軽量化の面から構造がシンプルで小型であることが好ましい。この点から板バネ１７を備えたリール１３が好ましく用いられる。
【００２０】
上記板バネ１７は、螺旋状に多重に巻重ねられている。この板バネ１７の一端は、リール１３の中心に固定されており、この他端は、板バネ１７の外側に位置するスプール１９に結合されている。このスプール１９はリール１３の中心を軸として回転することができる。スプール１９の回転に伴って板バネ１７が緊張し又は弛緩する。
【００２１】
紐９の他方の端がロッド３の内部を通ってスプール１９に連結固定されている。この紐９の連結方法は、終端部がスプール１９に直接巻き取られてもよい。また、スプール１９に予め巻き重ねられた別の材質の紐に紐９が結合されてもよい。この紐９の材質は、ある程度の引張衝撃に対する強度を備える限り特に限定されない。紐９の材質としては、天然又は合成の糸、合成樹脂の単繊維又は金属線が例示される。
【００２２】
この打診具１のロッド３が引き出されると紐９がリール１３から引き出される。図１は、ロッド３のパイプが引き出される途中の様子が示されている。このパイプＰの先端部の２段目（Ｐ１とＰ２）までが引き出され３段目（Ｐ３）が引き出される前の状態である。このパイプＰの引き出しによりロッド３が長くなる。このロッド３の伸張分だけ上記紐９がリール１３から引き出される。パイプＰの引き出しが限界に達するところがロッド３の最大長さとなる。紐９が引き出され得る最大長さは、ロッド３が最大の長さに達する伸張分と同じか少し長めとされる。
【００２３】
紐９が引き出されるとき、リール１３のスプール１９が紐９を繰り出す方向に回転する。板バネ１７は、スプール１９側に固定された端がこの回転に伴って引っ張られ回転する。この引っ張りにより螺旋の多重板バネの間隔が狭まり、板バネの弾性により元の弛緩状態に戻ろうとする力が生じる。この力は引き出されたロッド３のパイプＰを動かすには微弱すぎるが紐９を引き戻すには十分である。
【００２４】
紐９は、ロッド３の長さが縮められると縮まった長さだけリール１３に納められる。具体的には、リール１３の板バネ１７の上記弾性力により紐９がスプール１９に自動的に巻き取られる。したがって、この打診具１は、ヘッド５とグリップ７との連結部分の紐９がロッド３の伸縮分だけ伸縮する。
【００２５】
この打診具１では、携帯する時は入れ子式ロッド３が縮められ、使用時にはロッド３が伸ばされる。なお、前述したロッドが単一のパイプからなる場合はリールは不要であり、ヘッドの他端の紐は直接グリップに固定されておればよい。
【００２６】
例えば、壁面に貼られたタイルの浮きを検査する際はロッド３をいっぱいに伸ばして広い範囲をヘッド５を走査させる。この打診の間に異物等にロッド３が当たり折れることがある。
【００２７】
図２は、打診具１が使用されてロッド３が折れた状態を示す正面図である。図２に示されているように、打診具１が折れた場合でもヘッド５が紐９によって連結されたままである。この打診具１は、携帯及び使用に便利であるとともにロッド３が折れた場合でもヘッド５が脱落しない。
【００２８】
【発明の効果】
以上説明されたように、本発明の打診具は、打診作業中にロッドが異物に当たって折れても、ヘッドが脱落することがない。
【図面の簡単な説明】
【図１】図１は、本発明の一実施形態にかかる打診具が示された断面図である。
【図２】図２は、図１の打診具が折れた状態が示された正面図である。
【符号の説明】
１・・・打診具
３・・・ロッド
５・・・ヘッド
７・・・グリップ
９・・・紐
１１・・・グリップカバー
１３・・・リール
１７・・・板バネ
１９・・・スプール
【図１】
2005010106.tif 000003
【図２】
2005010106.tif 000004